(57)【特許請求の範囲】
【請求項１】
隅角部に設置されるようにしてなる取付機構付き棚において、
上面に物体を戴置可能な棚板と、該棚板にその両側縁より左右外向きに突出可能に支持させた一対のスライド部材と、該両スライド部材の突出側端部にそれぞれ連結され、隅角部壁面に押し当てられることによって該壁面に対し係止力を発揮する左右の摩擦係止板と、該左右両摩擦係止板の棚板側面に両端部をそれぞれ連結させ、前記左右両摩擦係止板を前記壁面側に向けて加圧する伸縮可能な突っ張り手段とを備えてなる取付機構付き棚。
【請求項２】
前記両スライド部材を左右外向きに付勢する付勢手段と、前記スライド部材を棚板側に押し込んだ状態で保持することができ且つ該保持状態を解除する機構を有するスライド部材保持手段とを有する請求項１に記載の取付機構付き棚。
【請求項３】
前記棚板は中空箱状に形成され、前記スライド部材が前記棚板内にスライド自在に収容された請求項１又は２に記載の取付機構付き棚。
【請求項４】
突っ張り手段は、筒状をしたハウジングと、該ハウジング内に一端側が突出され、軸方向に出し入れ自在なピストンと、該ピストンを前記ハウジングより突出方向に付勢するスプリングと、前記ピストンをハウジング内に押し込んでスプリングを圧縮させた状態で前記ピストンを係止させる係止部材と、該係止部材の係止を解除する係止解除部材とを備えた伸縮シリンダーをもって構成された請求項１、２又は３に記載の取付機構付き棚。
【請求項５】
係止部材は、先端部が半径方向に突出するように傾斜した弾性バネ状に形成され、前記先端部がハウジングに形成された係止用孔と係合するようにした請求項４に記載の取付機構付き棚。
【請求項６】
突っ張り手段は、棚板と一体化された軸受け部と、一方の端部が摩擦係止板の棚板側面に連結され、他方の端部が前記軸受け部に枢支された一対の前記伸縮シリンダーとにより構成された請求項４又は５に記載の取付機構付き棚。
【請求項７】
摩擦係止板は、棚板の両側部にそれぞれ複数配置され、該各摩擦係止板はそれぞれ独立して動作可能な請求項１〜５又は６に記載の取付機構付き棚。
【発明の詳細な説明】
【０００１】
【発明の属する技術分野】
本発明は、主に家屋等の建物の隅角部に容易に設置可能な取付機構付き棚に関する。
【０００２】
【従来の技術】
従来、家屋等の隅角部には、物を載置するために、例えば、三角形状或いは扇形状の棚を設置することが行われ、一般にこのような棚の設置は、ブラケット等の設置用部材を介して壁面に取り付ける方法で行われている。しかし、この一般的設置方法では、設置用部材の取付け作業に手間が掛かるという問題があり、それを解消するものとして、例えば、図９に示すような構造の取付機構付き棚が提供されている。
【０００３】
この取付機構付き棚は、棚板１の扇形の要部に外向きに係止針２を、両側端面にナイフ状の係止突起３，３を出し入れ可能に備え、棚板１の裏面に突出させた操作用摘み４を操作することによって、これらの係止針２及び係止突起３が出入り動作されるようになっている。そして、設置場所の隅角部５に棚板１を押し当てた状態で、操作摘み４を操作して係止針２及び係止突起３，３を突出させ、それらを隅角部５及び壁面６に食い込ませることによって棚板１を固定するようになっている。
【０００４】
【発明が解決しようとする課題】
しかし、上述のような従来の取付機構付き棚では、係止突起３，３及び係止針２の部分で全ての荷重を受けるので、棚の強度が弱く載置量が少ないという問題があった。また、係止針２及び係止突起３，３が壁面６に食い込ませて取り付けるものであるため、壁面６を傷付けてしまうという問題があった。
【０００５】
本発明は、このような従来の問題を鑑み、十分な載置強度を確保しつつ、壁面を傷付けること無く容易に取付け可能な取付機構付き棚の提供を目的とする。
【０００６】
【課題を解決するための手段】
上述の如き従来の問題を解決し、所期の目的を達成するための請求項１の発明は、隅角部に設置されるようにしてなる取付機構付き棚において、上面に物体を戴置可能な棚板と、該棚板にその両側縁より左右外向きに突出可能に支持させた一対のスライド部材と、該両スライド部材の突出側端部にそれぞれ連結され、隅角部壁面に押し当てられることによって該壁面に対し係止力を発揮する左右の摩擦係止板と、該左右両摩擦係止板の棚板側面に両端部をそれぞれ連結させ、前記左右両摩擦係止板を前記壁面側に向けて加圧する伸縮可能な突っ張り手段とを備えたことを特徴とする。
【０００７】
このように構成することによって、十分な載荷強度を確保しつつ、壁面を傷付けることなく容易に棚を取り付けることができる。
【０００８】
尚、突っ張り手段としては、下記の実施例の他、ネジ軸を用いた物など伸縮可能で、両側部に配置された摩擦係止板を外側に向けて加圧することができる構造のものであればよい。
【０００９】
請求項２の発明は、請求項１の発明において、前記両スライド部材を左右外向きに付勢する付勢手段と、前記スライド部材を棚板側に押し込んだ状態で保持することができ且つ該保持状態を解除する機構を有するスライド部材保持手段とを有することで、取付の際に棚をワンタッチで仮止めすることができ、素人でも簡単且つ好適に棚を取り付けることができる。
【００１０】
請求項３の発明は、請求項１又は２の発明において、前記棚板は中空箱状に形成され、前記スライド部材が前記棚板内にスライド自在に収容されたことで、取付用の機構が棚板内部に隠すことができ、見映えがよい。
【００１１】
請求項４の発明は、突っ張り手段は、筒状をしたハウジングと、該ハウジング内に一端側が突出され、軸方向に出し入れ自在なピストンと、該ピストンを前記ハウジングより突出方向に付勢するスプリングと、前記ピストンをハウジング内に押し込んでスプリングを圧縮させた状態で前記ピストンを係止させる係止部材と、該係止部材の係止を解除する係止解除部材とを備えた伸縮シリンダーをもって構成されたことで、ワンタッチで突っ張り手段に摩擦係止板を加圧させることができ、棚の設置が容易となる。また、棚の取り外しを行う際にも容易に作業することができる。
【００１２】
請求項５の発明は、請求項４の発明において、係止部材は、先端部が半径方向に突出するように傾斜した弾性バネ状に形成され、前記先端部がハウジングに形成された係止用孔と係合するようにしたことで、容易にピストンをハウジングに押し込みスプリングを圧縮させた状態で保持することができ、かかる保持状態を容易に解除することもできる。
【００１３】
請求項６の発明は、請求項４又は５のいずれかの発明において、突っ張り手段は、棚板と一体化された軸受け部と、一方の端部が摩擦係止板の棚板側面に連結され、他方の端部が前記軸受け部に枢支された一対の前記伸縮シリンダーとにより構成されたことで、摩擦係止板を押し出し方向に加圧することができるとともに、壁面の状態に好適に適応できる。
【００１４】
請求項７の発明は、摩擦係止板は、棚板の両側部にそれぞれ複数配置され、該各摩擦係止板はそれぞれ独立して動作可能なことで、壁の不陸等の影響を受けにくく、常に安定した係止力を発揮し、十分な載荷強度を確保することができる。尚、下記の実施例では、片側に２枚の摩擦係止板を配置しているが２枚以上の複数枚であってもよい。
【００１５】
【発明の実施の形態】
次に、本発明に係る取付機構付き棚の実施の形態を図について説明する。
【００１６】
図１は取付機構付き棚を隅角部に設置した状態を示し、符号１０は取付機構付き棚である。
【００１７】
この取付機構付き棚１０は、棚板１１の両側部に配置された摩擦係止板１２，１３を、突っ張り手段１４によって壁面側に向けて加圧して壁面ａ，ａに押し当てることによって取り付けることができるようになっている。
【００１８】
摩擦係止板１２，１３は、その外側面１２ａ，１３ａ即ち、壁面ａに対向する面に、例えば、吸着性のゴム板を貼着させ摩擦係数を高くする等の処理が施され、押圧されることによって壁面ａに対し十分な係止力を発揮できるように形成されている。また、この摩擦係止板１２，１３は、図３、図４に示すように裏面に連結部１５を備え、この連結部１５に棚板１１にスライド自在に支持されたスライド部材１６を連結することによって、棚板１１に支持されている。尚、摩擦係止板１２，１３は、下縁部の形状が異なる等の多少の差異はあるが略同一の構成となっている。
【００１９】
突っ張り手段１４は、その端部が前側の摩擦係止板１２，１２に連結される前側突っ張り機構１７と、後側の摩擦係止板１３，１３に連結される後側突っ張り機構１８とによって構成されている。
【００２０】
前側突っ張り機構１７は、図１に示すように、棚板１１の底板部裏面に一体に形成された軸受け部１９と、一方の端部が軸受け部１９に枢支され、他方の端部が前記摩擦係止板の係合部に連結される一対の伸縮シリンダー２０，２０とによって構成されている。そして、この軸受け部１９を介して棚板１１に支持された伸縮シリンダー２１は、その付勢力によって摩擦係止板１２，１２を壁面側に向けて加圧するようになっている。
【００２１】
一方、後側突っ張り機構１８は、伸縮シリンダー２１の両端を摩擦係止板１３，１３の裏面に形成された係合部２２と互いに係合させ、伸縮シリンダー２１の付勢力により摩擦係止板１３，１３を壁面側に加圧するようになっている。
【００２２】
伸縮シリンダー２０は、図５に示すように、筒状をしたハウジング２３と、ハウジング２３内に一端側が突出され、軸方向に出し入れ自在なピストン２４と、ピストン２４をハウジング２３より突出方向に付勢するスプリング２５と、ピストン２４をハウジング２３内に押し込んでスプリング２５を圧縮させた状態でピストン２４をハウジングに係止させる係止部材２６と、係止部材２６の係止を解除する係止解除部材２７とを備えている。
【００２３】
ハウジング２３の周壁面には、後述するピストンの係止部材が係止される係止用孔２８ａ，２８ｂが長手方向の同一線上に２箇所穿孔され、軸受け側端部には、係止解除部材２７が形成されている。この係止解除部材２７は、基端側がハウジング２３と一体に形成された支持部２７ａに支持された弾性バネ状に形成され、その先端部２７ｂは、係止用孔２８ａの位置にくるように形成されている。
【００２４】
また、ハウジング２３は、その軸受側端部に、軸受け部１９に枢支される玉軸部２９を一体的に備え、他方の端部は、摩擦係止板１２に形成された係合部の半球状の係合凹部２２ａと互いに係合するように先端部が半球状に形成されている。
【００２５】
ピストン２４の先端部には半径方向に張り出して段部３０が形成され、この段部３０に一方の端部が当接したスプリング２５がハウジング２３の開口端部に反力をとってピストン２４を突出方向に付勢するようになっている。また、ピストン２４の奥部側端部には、図に示すように、先端部が半径方向に突出するように傾斜した弾性バネ状の係止部材２６が形成されている。
【００２６】
該係止部材２６は、自身の弾性によって、先端部２６ａが半径方向に突出し、この先端部２６ａがハウジングの前記係止用孔２８ａ，２８ｂに係止されるようになっている。この係止部材２６は、軸受け側２８ａで係止した場合には、ピストン２４をハウジング２３内に押し込んでスプリング２５を圧縮させた状態にハウジング２３に係止させ、先端側２８ｂで係止した場合には、ピストン２４がそれ以上突出しないように抜け止めするようになっている。
【００２７】
尚、軸受け側２８ａで係止されているときには、係止解除部材２７を操作すること、即ち、係止解除部材２７を操作して係止解除部材の先端部２７ｂで係止部材２６の先端部２６ａをハウジング２３内に押し込むことで、係止状態を解除するようになっている。また、先端側２８ｂで係止している場合には、ピストン２４を押し込むとハウジング２３内側面に係止部材２６の傾斜した部分が押されて、先端部２６ａをハウジング内に引き込み、係止状態が解除されるようになっている。
【００２８】
伸縮シリンダー２１は、図６に示すように、上述した図５に示す伸縮シリンダー２１とほぼ同じ構成により形成され、筒状をしたハウジング２３と、ハウジング２３内に一端側が突出され、軸方向に出し入れ自在なピストン２４と、ピストン２４をハウジング２３より突出方向に付勢するスプリング２５と、ピストン２４をハウジング２３内に押し込んでスプリングを圧縮させた状態でピストン２４をハウジング２３に係止させる係止部材２６と、係止部材２６の係止を解除する係止解除部材２７とを備えている。
【００２９】
伸縮シリンダー２１では、ハウジング２３の端部及びピストン２４の端部は図６に示すように、半球状に形成され、摩擦係止板１３に形成された係合部２２の半球状の係合凹部２２ａと互いに係合されるようになっている。
【００３０】
棚板１１は、図７に示すように、天板部３１と底板部３２とからなり、天板部３１と底板部３２とを重ね合わせることによって扇形の中空箱状に形成され、上面に物体が載置できるようになっている。
【００３１】
天板部３１は、平板状の天板３１ａを有し、該天板３１ａの前縁部即ち、扇形の円弧部に底板側に突出した前面板３１ｂが一体に形成されている。
【００３２】
底板部３２は、図７に示すように、底板内側面に立ち上げた壁部３３，３４間にスライド部材収容部３５が形成され、該スライド部材収容部３５にスライド部材１６，１６が壁部３３の長手方向、即ち左右方向にスライド可能な状態に嵌め込まれている。また、底板部３２の内側面には、後述するスライド部材１６の長穴に嵌り込むスライド規制部３６，３６が底板３２ａに一体又は一体的に設けられている。更に、該底板部の略中央部分には、後述するスライド保持手段が設置できるようになっている。
【００３３】
スライド部材１６は、スライド部材収容部３５に嵌り込むスライド支持板３７と、スライド支持板３７の外側縁部に形成され、摩擦係止板の内側面に突設された連結部１５の連結溝１５ａと相互に嵌合する連結挿入部３８とが一体に形成されている。
【００３４】
スライド支持板３７は、かかる扇形の棚の場合には、扇形の側縁形状に合わせて略三角形状に形成されている。また、表面にはスライド規制部３６が嵌り込む長穴３９が穿孔されている。
【００３５】
このスライド部材１６，１６は対で用いられ、図２に示すように、左右のスライド部材１６，１６がスライド部材収容部３５に収容されている。このスライド部材１６，１６は、スライド規制部３６が長穴３９に嵌り込んでいるので、スライド量が規制されるようになっている。即ち、スライド規制部３６が長穴３９の内側内縁に当接するまでスライド部材１６は、棚板１１の両側縁より左右外向きに突出することができ、一方、長穴３９の外側内縁に当接するまでスライド部材１６を棚板側に押し込むことができるようになっている。
【００３６】
また、この取付機構付き棚１０は、スライド部材１６，１６を押し出し方向、即ち左右外向きに付勢するとともに、スライド部材１６を棚板側に押し込んだ状態で保持することができ且つ保持状態を解除する機構を有するスライド部材保持手段を備えることで、ワンタッチで棚を仮止めできるようになっている。
【００３７】
即ち、スライド部材１６，１６を押し込んだ状態のまま保持させておき、その状態で棚板１１を設置場所の隅角部５に当て、そこで保持状態を解除することによって、スプリングによって摩擦係止板１２，１３が壁面ａに押し当てられて仮固定されるようになっている。
【００３８】
スライド部材１６，１６は、スライド支持板３７の内側縁に付勢手段たるスプリング４０と連結するスプリング連結部４１が一体に形成され、スプリング４０，４０によって相互に反力をとって押し出し方向即ちそれぞれ左右外向きに付勢されるようになっている。
【００３９】
スライド部材保持手段４２は、図８に示すように、それぞれスライド部材１６，１６の内側中央部分に形成された嵌合溝４３，４３に端部を嵌め込んだ一対の係合金具４４，４５を備えるとともに、この係合金具４４，４５を支持する支持部４６と、保持状態を解除するための解除機構４７とを有している。
【００４０】
各係合金具４４，４５は、細長の帯状部材を折り曲げた形状をなし、スライド部材１６の嵌合溝４３に嵌り込む嵌合部４８と、嵌合部４８と段差部４９を介して一体に形成された重合部５０とをともに有する。また一方の係合金具４４の嵌合部とは反対側の端部には、他方４５の段差部４９に係合する鈎部５１が一体に形成されている。
【００４１】
支持部４６は、棚板１１の底板部３２の底板内面に立ち上げた一対の支持壁５２，５３と、一方の支持壁５２に保持され、両支持壁５２，５３間に配置された係合金具の重合部５０，５０を他方側に押し付けるスプリング５４とを有している。
【００４２】
解除機構４７は、平板状の解除キー５５を回転摘み５６に立ち上げた状態に支持させ、係る回転摘み５６を底板３２ａに回転自在に支持させることによって構成されている。
【００４３】
このスライド部材保持手段４２は、一対の係合金具４４，４５を図８（ａ）に示すように、重合部５０，５０を相互に重ね合わせ、鈎部５１を他方の段部４９に係止させ、スプリング５４によって重合部５０，５０を押すことによって、係合状態が維持されるようになっている。一方、解除機構の解除キー５６は、図に示すように係合金具の重合部５０，５０間に挟まれ、重合部５０，５０と略平行な位置にある。このような構成によれば、係合金具４４，４５が接続されたスライド部材１６，１６を押し込んでスプリング４０，４０を圧縮した状態に保持することができる。
【００４４】
一方、この保持手段４１の保持状態を解除するには、図８（ｂ）に示すように、回転摘み５６を略９０度回転させ、解除キー５８を係合金具重合部５０，５０と略直角となる位置にすると、相互の重合部５０，５０間に隙間ができ、鈎部５１が段差部５２から離れ、保持状態が解除される。これによって、付勢手段たるスプリング４０，４０によってスライド部材１６，１６は互いに反力をとって突出方向、即ち左右壁面側に付勢され、突出するようになっている。
【００４５】
次に、この取付機構付き棚の取付方法について説明する。
【００４６】
まず、両側部の摩擦係止板１２，１３を棚板側に押し込み、スライド部材保持手段４２の係合金具４４，４５を互いに係合させ、スライド部材１６，１６を押し込んだ状態に保持するとともに、前側突っ張り機構及び後側突っ張り機構の伸縮シリンダー２０，２１は、シリンダー２３をハウジング内に押し込みスプリング２５を圧縮した状態で係止させておく。
【００４７】
次に、この状態で設置場所、家屋の隅角部に棚を配置し、位置決めを行う。位置決めが完了したら、回転摘み５６を回して保持状態を解除する。保持状態が解除されると、スライド部材１６に押されて摩擦係止板１２，１３は外向き即ち左右壁面側に向かって突出し、壁面ａに押し当てられて係止力を発揮し、仮止めがされる。
【００４８】
そして、仮止めがされたら前側及び後側突っ張り手段の伸縮シリンダー２０，２１の係止解除部材２７を操作して、係止部材２６をハウジング２３内に押し込み、伸縮シリンダーのロック状態を解除して、ピストン２４を突出方向に付勢する。このとき、伸縮シリンダー２０のピストン端部及び伸縮シリンダー２１のピストン端部及びハウジング端部は、係合凹部２２ａと互いに係合させるようにするようになっており摩擦係止板１２，１３は、スライド部材による付勢力に加えて、シリンダーの付勢力によって更に壁面に押し当てられ、十分な係止力を発揮するようになる。
【００４９】
尚、この取付機構付き棚１０は、伸縮シリンダー２０，２１を縮め、スライド部材１６，１６を本体側に押し込めば、取り外すことが可能である。
【００５０】
尚、上述の実施例は、棚板１１の形状を扇形状にした例について説明したが、棚板はその他三角形状や台形状等であってもよい。
【００５１】
また、上述の実施例では、複数の摩擦係止板に対し一枚のスライド部材によって対応させているが、スライド部材１６は、摩擦係止板の片側に配置された枚数に併せて複数設け、各摩擦係止板が独立して動作できるようにしてもよい。
【００５２】
【発明の効果】
上述のように、本発明に係る取付機構付き棚は、左右両摩擦係止板を、突っ張り手段によって壁面側に向けて加圧して壁面に押し当てることによって取り付けられ、十分な載荷強度を確保するとともに、容易に取り付けることができ、しかも設置に際して壁を傷付けることがない。また、取り外しも容易である。
【００５３】
また、スライド部材保持手段を有することで、ワンタッチで棚を仮止めすることができ、作業効率が向上する。
【００５４】
棚板にスライド部材等の取付機構が収容され表面に現れないので、見映えがよい。
【００５５】
更に、片側に複数枚の摩擦係止板を用いれば、壁に対する自由度が向上し、好適に棚を取り付けることができる。
【図面の簡単な説明】
【図１】  本発明に係る棚を取り付けた状態を示す斜視図である。
【図２】  同上の横断面図である。
【図３】  （ａ）は図１中の摩擦係止板を示す正面図、（ｂ）は同側面図、（ｃ）は同Ａ−Ａ線断面図である。
【図４】  （ａ）は図１中の摩擦係止板を示す正面図、（ｂ）は同側面図、（ｃ）は同Ｂ−Ｂ線断面図である。
【図５】  （ａ）は伸縮シリンダーを示す側面図、（ｂ）は同縦断面図、（ｃ）は伸長状態を示す縦断面図である。
【図６】  （ａ）は伸縮シリンダーを示す側面図、（ｂ）は同縦断面図、（ｃ）は伸長状態を示す縦断面図である。
【図７】  図１中の棚板を示す分解斜視図である。
【図８】  （ａ）はスライド部材保持手段の保持状態を示す概略平面図、（ｂ）は同解除状態の概略平面図である。
【図９】  従来の取付機構付き棚の一例を示す底面図である。
【符号の説明】
ａ  壁面
１０  取付機構付き棚
１１  棚板
１２、１３  摩擦係止板
１４  突っ張り手段
１５  連結部
１５ａ  連結溝
１６  スライド部材
１７  前側突っ張り機構
１８  後側突っ張り機構
１９  軸受け部
２０  伸縮シリンダー
２１  伸縮シリンダー
２２  連結部
２２ａ  連結凹部
２３  ハウジング
２４  ピストン
２５  スプリング
２６  係止部材
２６ａ  先端部
２７  係止解除部材
２７ａ  支持部
２７ｂ  先端部
２８ａ，２８ｂ  係止用孔
２９  玉軸部
３０  段部
３１  天板部
３１ａ  天板
３１ｂ  前面板
３２  底板部
３２ａ  底板
３３，３４  壁部
３５  スライド部材収容部
３６  スライド規制部
３７  スライド支持板
３８  連結挿入部
３９  長穴
４０  スプリング
４１  スプリング連結部
４２  スライド部材保持手段
４３  嵌合溝
４４，４５  係合金具
４６  支持部
４７  解除機構
４８  嵌合部
４９  段差部
５０  重合部
５１  鈎部
５２，５３  支持壁
５４  スプリング
５５  解除キー
５６  回転摘み
【図１】
0003665864.tif 000002
【図２】
0003665864.tif 000003
【図３】
0003665864.tif 000004
【図４】
0003665864.tif 000005
【図５】
0003665864.tif 000006
【図６】
0003665864.tif 000007
【図７】
0003665864.tif 000008
【図８】
0003665864.tif 000009
【図９】
0003665864.tif 000010